(57)【要約】【課題】快適な空調環境をユーザに提供可能なシート空調装置等の実現。【解決手段】シート空調装置１００は、複数のシート１０が設置された車室空間において、自席となる特定シート１０ｓの空調を行う。特定シート１０ｓには、シート空調ユニット３０によって空調風が供給される。シート空調ユニット３０の作動は、特定シート１０ｓについての空調の設定情報に基づいて制御される。こうした特定シート１０ｓには、少なくとも一つの隣接シート１０ａが隣接している。シート空調ユニット３０の作動は、隣接シート１０ａに空調風を供給する隣接空調装置１００ａの作動情報に基づき、調整される。【選択図】図１
2019156154.tif 000002
【特許請求の範囲】
【請求項１】
複数のシート（１０）が設置されたユーザ空間（ＰＳ）において、少なくとも一つの隣接シート（１０ａ〜１０ｃ）に隣接した特定シート（１０ｓ）の空調を行うシート空調装置であって、
前記特定シートに空調風を供給する空調機（３０）と、
前記特定シートについての空調の設定情報を取得する設定情報取得部（６１）と、
前記隣接シートを空調する隣接空調装置（１００ａ〜１００ｃ）の作動情報を取得する隣接情報取得部（６３ａ）と、
前記設定情報に基づいて前記空調機の作動を制御し、前記隣接空調装置の前記作動情報に基づいて前記空調機の作動を調整する空調制御部（６５）と、
を備えるシート空調装置。
【請求項２】
前記空調機から前記特定シートに供給される空調風の計測温度を取得する状態情報取得部（６２）、をさらに備え、
前記隣接情報取得部は、前記隣接空調装置から前記隣接シートに供給される空調風の計測温度を前記作動情報として取得し、
前記空調制御部は、前記空調機における計測温度と、前記隣接空調装置における計測温度とを比較して、前記空調機における空調作動の調整内容を変更する請求項１に記載のシート空調装置。
【請求項３】
前記設定情報取得部は、前記特定シートの空調の設定温度を前記設定情報として取得し、
前記空調制御部は、前記特定シートの設定温度と、前記空調機における計測温度とを比較して、前記空調機における空調作動の調整内容を変更する請求項２に記載のシート空調装置。
【請求項４】
前記空調制御部は、前記空調機における計測温度が前記隣接空調装置における計測温度よりも前記特定シートの設定温度に近い場合に、前記隣接シートから前記特定シートへの空気の移動を妨げるように前記空調機を作動させる請求項３に記載のシート空調装置。
【請求項５】
前記空調制御部は、前記隣接空調装置における計測温度が前記空調機における計測温度よりも前記特定シートの設定温度に近い場合に、前記隣接シートから前記特定シートへの空気の移動を促すように前記空調機を作動させる請求項３又は４に記載のシート空調装置。
【請求項６】
前記隣接空調装置における計測温度が前記空調機における計測温度よりも前記特定シートの設定温度に近い場合に、前記隣接シートから前記特定シートへの空気の移動を促すような空調作動の実施要求を、前記隣接空調装置へ向けて出力する要求出力部（６３ｂ）、をさらに備える請求項３〜５のいずれか一項に記載のシート空調装置。
【請求項７】
前記特定シートにおいてユーザに触れるシート表皮の材質情報を取得する表皮情報取得部（６４）、をさらに備え、
前記空調制御部は、前記シート表皮の材質情報に基づいて前記空調機の作動を調整する請求項１〜６のいずれか一項に記載のシート空調装置。
【請求項８】
ユーザが着座するシート（１０）の空調を行うシート空調装置であって、
前記シートに空調風を供給する空調機（３０）と、
前記シートについての空調の設定情報を取得する設定情報取得部（６１）と、
前記シートにおいて前記ユーザに触れるシート表皮の材質情報を取得する表皮情報取得部（６４）と、
前記設定情報に基づいて前記空調機の作動を制御し、前記シート表皮の材質情報に基づいて前記空調機の作動を調整する空調制御部（６５）と、
を備えるシート空調装置。
【請求項９】
前記表皮情報取得部は、前記シート表皮が革材質か布材質かを示す材質情報を取得する請求項７又は８に記載のシート空調装置。
【請求項１０】
前記空調制御部は、前記シート表皮が革材質である場合に、前記シート表皮が布材質である場合と比較して、空調開始後における初期運転の強度を強める請求項９に記載のシート空調装置。
【請求項１１】
前記空調制御部は、
前記シート表皮の熱こもりを低減する排熱運転を繰り返し実施し、
前記シート表皮が革材質である場合に、前記シート表皮が布材質である場合と比較して、前記排熱運転の実施間隔を短く設定する請求項９又は１０に記載のシート空調装置。
【請求項１２】
複数のシート（１０）が設置されたユーザ空間（ＰＳ）において、少なくとも一つの隣接シート（１０ａ〜１０ｃ）に隣接した特定シート（１０ｓ）に空調風を供給する空調機（３０）を制御するシート空調制御装置であって、
前記特定シートについての空調の設定情報を取得する設定情報取得部（６１）と、
前記隣接シートを空調する隣接空調装置の作動情報を取得する隣接情報取得部（６３ａ）と、
前記設定情報に基づいて前記空調機の作動を制御し、前記隣接空調装置の前記作動情報に基づいて前記空調機の作動を調整する空調制御部（６５）と、
を備えるシート空調制御装置。
【請求項１３】
ユーザが着座するシート（１０）に空調風を供給する空調機（３０）を制御するシート空調制御装置であって、
前記シートについての空調の設定情報を取得する設定情報取得部（６１）と、
前記シートにおいて前記ユーザに触れるシート表皮の材質情報を取得する表皮情報取得部（６４）と、
前記設定情報に基づいて前記空調機の作動を制御し、前記シート表皮の材質情報に基づいて前記空調機の作動を調整する空調制御部（６５）と、
を備えるシート空調制御装置。
【発明の詳細な説明】
【技術分野】
【０００１】
この明細書による開示は、シートの空調を行うシート空調装置等に関する。
【背景技術】
【０００２】
従来、例えば特許文献１に開示の車両空調システムは、車室内空間を空調する主空調装置に加えて、各シートの空調を行う複数のシート空調装置を備えている。この車両空調システムにおいて、主空調ＥＣＵは、効率的な空調が実施されるように、主空調装置及び各シート空調装置の作動を集中的に制御する。
【先行技術文献】
【特許文献】
【０００３】
【特許文献１】特許第５４６７４９９号公報
【発明の概要】
【発明が解決しようとする課題】
【０００４】
特許文献１の車両空調システムにおいて、主空調ＥＣＵは、全ての空調装置の作動状態を示す空調情報を把握したうえで、主空調装置及び各シート空調装置の作動を制御している。故に、車両空調システムは、大規模なシステム構成とならざるを得なかった。そのため、大規模な車両空調システムを構築しないで、例えばシート空調装置における個別の空調制御により、快適な空調環境をユーザに提供することが望まれていた。
【０００５】
本開示は、シートに着座したユーザに快適な空調環境を提供可能なシート空調装置及びシート空調制御装置の実現を目的とする。
【課題を解決するための手段】
【０００６】
上記目的を達成するため、開示された一つの態様は、複数のシート（１０）が設置されたユーザ空間（ＰＳ）において、少なくとも一つの隣接シート（１０ａ〜１０ｃ）に隣接した特定シート（１０ｓ）の空調を行うシート空調装置であって、特定シートに空調風を供給する空調機（３０）と、特定シートについての空調の設定情報を取得する設定情報取得部（６１）と、隣接シートを空調する隣接空調装置（１００ａ〜１００ｃ）の作動情報を取得する隣接情報取得部（６３ａ）と、設定情報に基づいて空調機の作動を制御し、隣接空調装置の作動情報に基づいて空調機の作動を調整する空調制御部（６５）と、を備えるシート空調装置とされる。
【０００７】
また開示された一つの態様は、複数のシート（１０）が設置されたユーザ空間（ＰＳ）において、少なくとも一つの隣接シート（１０ａ〜１０ｃ）に隣接した特定シート（１０ｓ）に空調風を供給する空調機（３０）を制御するシート空調制御装置であって、特定シートについての空調の設定情報を取得する設定情報取得部（６１）と、隣接シートを空調する隣接空調装置の作動情報を取得する隣接情報取得部（６３ａ）と、設定情報に基づいて空調機の作動を制御し、隣接空調装置の作動情報に基づいて空調機の作動を調整する空調制御部（６５）と、を備えるシート空調制御装置とされる。
【０００８】
これらの態様では、隣接シートを空調する隣接空調装置の作動情報に基づき、特定シートに空調風を供給する空調機の作動が調整される。以上によれば、特定シートの空調環境は、隣接シートの空調環境による影響を考慮しつつ、設定情報に基づくように制御され得る。したがって、特定シートに着座したユーザへの快適な空調環境の提供が可能になる。
【０００９】
また開示された一つの態様は、ユーザが着座するシート（１０）の空調を行うシート空調装置であって、シートに空調風を供給する空調機（３０）と、シートについての空調の設定情報を取得する設定情報取得部（６１）と、シートにおいてユーザに触れるシート表皮の材質情報を取得する表皮情報取得部（６４）と、設定情報に基づいて空調機の作動を制御し、シート表皮の材質情報に基づいて空調機の作動を調整する空調制御部（６５）と、を備えるシート空調装置とされる。
【００１０】
また開示された一つの態様は、ユーザが着座するシート（１０）に空調風を供給する空調機（３０）を制御するシート空調制御装置であって、シートについての空調の設定情報を取得する設定情報取得部（６１）と、シートにおいてユーザに触れるシート表皮の材質情報を取得する表皮情報取得部（６４）と、設定情報に基づいて空調機の作動を制御し、シート表皮の材質情報に基づいて空調機の作動を調整する空調制御部（６５）と、を備えるシート空調制御装置とされる。
【００１１】
これらの態様では、シートにおいてユーザに触れるシート表皮の材質情報に基づき、シートに空調風を供給する空調機の作動が調整される。以上によれば、シートに着座したユーザの感じる空調環境は、シート表皮の材質の違いによる影響を受け難くなる。したがって、シートに着座したユーザへの快適な空調環境の提供が可能になる。
【００１２】
尚、上記括弧内の参照番号は、後述する実施形態における具体的な構成との対応関係の一例を示すものにすぎず、技術的範囲を何ら制限するものではない。
【図面の簡単な説明】
【００１３】
【図１】第一実施形態によるシート空調装置に関連する構成を示すブロック図である。
【図２】車室空間における複数のシート及びシート空調装置の配置を示す図である。
【図３】各シートにおけるシート空調ユニットの配置を示す図である。
【図４】シート空調ユニットの具体的な構成を示す図である。
【図５】シート空調ＥＣＵにて実施される空調調整処理の詳細を示すフローチャートである。
【図６】シート空調ＥＣＵにて実施される初動調整処理の詳細を示すフローチャートである。
【図７】シート空調ＥＣＵにて実施されるインターバル調整処理の詳細を示すフローチャートである。
【図８】第二実施形態における初動調整処理の詳細を示すフローチャートである。
【発明を実施するための形態】
【００１４】
以下、本開示の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合わせることができる。そして、複数の実施形態及び変形例に記述された構成同士の明示されていない組み合わせも、以下の説明によって開示されているものとする。
【００１５】
（第一実施形態）
図１に示す本開示の第一実施形態によるシート空調装置１００は、図２に示すような車両Ａにおいて用いられる。車両Ａの車室内の車室空間ＰＳには、複数のシート１０が所定の配列で設置されている。シート空調装置１００は、図２及び図３に示すように、各シート１０の座面部１１の下方にそれぞれ設けられている。各シート１０には、座面部１１の下方に設けられたシート空調装置１００から空調風が供給される。
【００１６】
シート１０は、図３に示すように、骨格としてのシートフレームに、クッション材としてのウレタンフォーム等を組み合わせてなる構成である。シート１０は、座面部１１、背もたれ部１３及びシート内ダクト１５を備えている。座面部１１は、ユーザの臀部及び大腿部等を支える構造部である。座面部１１の表面には、シート表皮としての座面表皮１２が張られている。背もたれ部１３は、ユーザの上体を支える構造部である。背もたれ部１３の表面には、シート表皮としての背もたれ表皮１４が張られている。座面表皮１２及び背もたれ表皮１４には、空調風の吹出口として機能する多数の微細な貫通孔が形成されている。シート内ダクト１５は、座面部１１及び背もたれ部１３の内部に配置されている。シート内ダクト１５は、シート空調装置１００と接続されており、座面表皮１２及び背もたれ表皮１４まで空調風を流通させる流通路となる。
【００１７】
シート空調装置１００は、シート１０毎に個別に設置されることで、車室空間ＰＳに複数配置されている。各シート空調装置１００は、実質的に同一の構成である。図１に示すように、各シート空調装置１００は、車両Ａに搭載された車載ネットワークの通信バス８０と接続されている。シート空調装置１００は、通信バス８０を介して、他のシート空調装置１００と相互に通信可能である。シート空調装置１００は、シート空調ユニット３０及びシート空調ＥＣＵ６０を備えている。
【００１８】
図１，図３及び図４に示すシート空調ユニット３０は、車両電源から供給される電力を使用して空調作動を行う小型のＨＶＡＣ（Heating, Ventilation, and Air Conditioning）である。シート空調ユニット３０は、個々のシート１０に空調風を個別供給する作動により、シート１０に着座したユーザの周囲に空調環境を形成する。シート空調ユニット３０は、冷凍サイクル部４０ａ、筐体５０、送風機４５、ヒータ４６、エアミックスダンパ４７及び温度センサ４８等によって構成されている。
【００１９】
冷凍サイクル部４０ａは、循環させた冷媒の圧縮及び膨張を利用して、冷気及び暖気を生成する。冷凍サイクル部４０ａは、コンプレッサ４１、膨張弁４４、コンデンサ４２及びエバポレータ４３を有している。コンプレッサ４１は、車両電源からの供給電力で動作し、冷媒を圧送する。膨張弁４４は、冷媒を減圧する。コンデンサ４２及びエバポレータ４３は、扁平なチューブとチューブから突出する多数のフィン等とを有する熱交換器である。コンデンサ４２のチューブには、コンプレッサ４１の圧縮によって昇温した冷媒が流通する。エバポレータ４３のチューブには、膨張弁４４での減圧によって冷却された冷媒が流通する。
【００２０】
筐体５０は、金属材料又は樹脂材料等により、全体として扁平な直方体状に形成されている。筐体５０には、第一収容室５１、第二収容室５２、吸込口５５、冷風吹出口５３及び温風吹出口５４等が設けられている。第一収容室５１には、コンデンサ４２、エバポレータ４３及びヒータ４６等が収容されている。第二収容室５２には、コンプレッサ４１及び膨張弁４４等が収容されている。吸込口５５は、筐体５０の外部から第一収容室５１への空気の流入を可能にする。吸込口５５は、第一収容室５１の天井面５６の中央に開口している。冷風吹出口５３は、第一収容室５１の天井面５６の隅部に二つ形成されている。冷風吹出口５３は、エバポレータ４３を挟んで吸込口５５の反対側に位置している。温風吹出口５４は、天井面５６の隅部に二つ形成されている。温風吹出口５４は、コンデンサ４２を挟んで吸込口５５の反対側に位置している。
【００２１】
送風機４５は、車両電源からの供給電力によって回転するモータと、シロッコファン又はターボファン等とを有する構成である。送風機４５は、ファンの回転によって空調風を生成する。送風機４５は、吸込口５５に収容されたファンをモータによって回転させ、車室内の空気を、第一収容室５１に導入する。第一収容室５１に吸い込まれた空気の一部は、エバポレータ４３の通過によって冷却され、冷気として冷風吹出口５３から排出される。一方、第一収容室５１に吸い込まれた空気の他の一部は、コンデンサ４２の通過によって昇温され、暖気として温風吹出口５４から排出される。
【００２２】
ヒータ４６は、ＰＴＣヒータ又は熱線式の電熱器であり、車両電源からの供給電力を熱に変換する。ヒータ４６は、第一収容室５１においてコンデンサ４２よりも外側に配置されている。ヒータ４６は、コンデンサ４２を通過した暖気を加熱し、暖気の温度をさらに昇温させる。
【００２３】
エアミックスダンパ４７は、冷風吹出口５３及び温風吹出口５４よりも下流側に設けられている。エアミックスダンパ４７は、空調風における冷気及び暖気の混合割合を調整することにより、空調風としてシート内ダクト１５（図３参照）に流通する空調風の温度を制御する。
【００２４】
温度センサ４８は、シート空調ユニット３０の作動状態を監視するための構成である。温度センサ４８は、例えばエアミックスダンパ４７の下流側に設けられており、シート１０へ向けて供給される空調風の温度、例えば筐体５０の吹出口の位置にて計測する。温度センサ４８は、吹出口での空調風の温度（吹出し温度）の計測結果を示す温度信号を、シート空調ＥＣＵ６０へ向けて逐次出力する。
【００２５】
図１に示すシート空調ＥＣＵ６０は、シート空調ユニット３０を制御する電子制御装置である。シート空調ＥＣＵ６０は、一例としてシート空調ユニット３０の筐体５０に収容されている（図３参照）。シート空調ＥＣＵ６０の制御回路は、プロセッサ、ＲＡＭ及び入出力インターフェースを有するマイクロコントローラを主体に構成されている。制御回路には、メモリ装置６９が接続されている。
【００２６】
メモリ装置６９には、シート空調ユニット３０を制御する空調制御プログラムに加えて、自席についての材質情報及びレイアウト情報等が格納されている。材質情報は、シート１０におけるシート表皮の材質を示す情報である。レイアウト情報は、車室空間ＰＳにおける多数のシート１０の配置と、その中での自席の位置とを示す情報である。シート空調ＥＣＵ６０は、レイアウト情報を用いることにより、各シート空調装置１００に割り当てられたＩＤ情報から、当該シート空調装置１００の配置された他のシート１０の相対位置、具体的には、他席の方向及び他席までの距離等を取得できる。
【００２７】
尚、以下の説明では、車室空間ＰＳに設置された特定の一つのシート１０を、特定シート１０ｓとし、便宜的に「自席」と記載する。そして、特定シート１０ｓの周囲に位置し、左右方向、前後方向及び斜め方向のそれぞれにて特定シート１０ｓに隣接する他のシート１０を、隣接シート１０ａ〜１０ｃとし、これら隣接シート１０ａ〜１０ｃのそれぞれを便宜的に「他席」と記載する。さらに、各隣接シート１０ａ〜１０ｃに設置された各シート空調装置１００を、それぞれ隣接空調装置１００ａ〜１００ｃとする。
【００２８】
シート空調ＥＣＵ６０は、空調制御プログラムをプロセッサによって実行し、ユーザ通信部６１、状態情報取得部６２、車内通信部６３、表皮情報取得部６４及び空調制御部６５等の機能ブロックを構築する。
【００２９】
ユーザ通信部６１は、例えばＢｌｕｅｔｏｏｔｈ（登録商標）及びＷｉ−Ｆｉ（登録商標）等の規格に準拠した無線通信により、ユーザ端末９０（図３参照）との間にて情報を送受信可能である。ユーザ端末９０は、スマートフォン等の携帯端末であって、シート１０に着座するユーザに所持されている。ユーザ端末９０は、空調設定用のアプリケーションプログラムの実行により、シート空調装置１００を操作するためのインターフェースとして機能する。ユーザ端末９０には、例えばユーザの所望する設定温度及び設定風量等の情報が入力される。ユーザ通信部６１は、ユーザ操作に基づく設定温度及び設定風量等の値を、シート１０についての空調の設定情報として、ユーザ端末９０から取得する。
【００３０】
状態情報取得部６２は、シート空調ＥＣＵ６０に接続されたシート空調ユニット３０の状態を示す状態情報を取得する。状態情報には、温度センサ４８にて計測された空調風の計測温度が少なくとも含まれる。
【００３１】
車内通信部６３は、通信バス８０と通信可能に接続されている。車内通信部６３は、通信バス８０に出力された情報を受信する受信部６３ａ、及び通信バス８０へ向けて情報を出力する出力部６３ｂを有している。
【００３２】
受信部６３ａは、車両Ａに生じる前後方向の加速度情報、並びに各隣接空調装置１００ａ〜１００ｃから出力される実施要求（後述する）及び作動情報等を、通信バス８０との通信によって逐次取得する。作動情報には、他席のシート空調装置１００（例えば各隣接空調装置１００ａ〜１００ｃ）にてユーザ通信部６１により取得される設定情報と、状態情報取得部６２により取得される状態情報とが含まれる。受信部６３ａは、他席に供給される各空調風の計測温度を、他席のシート空調装置１００の作動情報として少なくとも取得可能である。
【００３３】
出力部６３ｂは、自機のユーザ通信部６１にて取得される設定情報と、自機の状態情報取得部６２により取得される状態情報とを、シート空調装置１００の識別のためのＩＤ情報と共に通信バス８０へ逐次出力する。加えて出力部６３ｂは、自席へ向けた空気の移動を促すような空調作動の実施要求を、要求先となる他席のシート空調装置１００を示すＩＤ情報と共に、通信バス８０に出力する。これら設定情報、状態情報及び実施要求は、他席のシート空調装置１００の各受信部６３ａにて逐次取得される。
【００３４】
表皮情報取得部６４は、自席においてユーザに触れるシート表皮、即ち、座面表皮１２及び背もたれ表皮１４の材質情報を取得する。材質情報は、座面表皮１２及び背もたれ表皮１４が革材質か布材質かを示す情報である。革材質には、天然皮革及び人工皮革が含まれる。布材質には、ジャージ及びモケット等の織物、並びにトリコット等の編物が含まれる。一般的に、革材質は、布材質よりも質感に優れる一方で、通気性に劣る傾向にある。尚、表皮情報取得部６４は、シート１０に装着されたカバーの材質情報を取得してもよい。
【００３５】
空調制御部６５は、ユーザ通信部６１にて取得される設定情報に基づいて、シート空調ユニット３０の作動を制御する。具体的に、空調制御部６５は、設定温度及び設定風量に基づき、シート１０に供給する空調風の温度及び風量を制御する。加えて空調制御部６５は、他席のシート空調装置１００から出力された作動情報及び実施要求と、表皮情報取得部６４により取得される自席のシート表皮の材質情報等とに基づいて、シート空調ユニット３０の空調作動を調整可能である。
【００３６】
以上のシート空調ＥＣＵ６０にて実施される空調作動の調整処理の詳細を、図５〜図７に基づき、図１及び図２に基づき説明する。
【００３７】
図５に示す空調調整処理は、車室空間ＰＳのシートレイアウトと、一つの他席（例えば隣接シート１０ａ）のシート空調ユニット３０の作動状態に応じて、自席（特定シート１０ｓ）のシート空調ユニット３０の運転を調整する処理である。こうした空調調整処理によれば、多数のシート空調ユニット３０を統合的に制御しなくても、個々のシート空調ＥＣＵ６０は、他席のシート空調ユニット３０の空調作動の状態を鑑みて、自席のシート空調ユニット３０を作動させることができる。空調調整処理は、自席のシート空調がオン状態へと切り替えられたことに基づき、シート空調ＥＣＵ６０によって開始される。
【００３８】
Ｓ１０１では、自席の設定温度及び計測温度と、他席における計測温度とを取得し、Ｓ１０２に進む。Ｓ１０２では、Ｓ１０１にて取得した自席の空調風の計測温度と、他席の空調風の計測温度とを比較する。Ｓ１０２にて、他席の計測温度が自席の計測温度よりも高いと判定した場合、Ｓ１０３に進む。
【００３９】
Ｓ１０３では、Ｓ１０１にて取得した自席の計測温度と設定温度とを比較する。Ｓ１０３では、自席のユーザが快適な状態であるか否かを推定する。Ｓ１０３にて、計測温度が設定温度よりも高いと判定した場合、Ｓ１０４に進む。例えば、自席の計測温度が他席の計測温度よりも自席の設定温度に近く、他席のシート空調ユニット３０の影響を受けない方がユーザの快適度を確保できる場合等に、Ｓ１０３からＳ１０４に進む。
【００４０】
Ｓ１０４では、自席よりも暖かい空調を行う他席方向への風量を増やすように、自席のシート空調ユニット３０の作動を制御する。自席に対する他席の相対位置は、シート空調装置１００のＩＤ情報と設置位置とを紐付けたテーブル等に基づき、判断される。Ｓ１０４に基づく空調制御により、他席から自席への空気の移動が妨げられる。特に、車両Ａの加減速時においては、自席への空気の移動を阻害する制御の実施が望ましい。以上により、例えば暖房作動中においては、他席の近傍の暖か過ぎる空気が自席の近傍に流入し難くなる。
【００４１】
一方、Ｓ１０３にて、自席の計測温度が設定温度よりも低いと判定した場合、Ｓ１０５に進む。例えば、他席の計測温度が自席の計測温度よりも自席の設定温度に近く、他席のシート空調ユニット３０の影響を受けた方がユーザの快適度を確保できる場合等に、Ｓ１０３からＳ１０５に進む。
【００４２】
Ｓ１０５では、自席よりも暖かい空調を行う他席方向への風量を抑えるように、自席のシート空調ユニット３０の作動を制御し、Ｓ１０６に進む。Ｓ１０６では、自席よりも暖かい空調状態にある他席のシート空調装置１００へ向けて実施要求を出力し、自席方向への風量を強めてもらうように要求する。Ｓ１０５及びＳ１０６に基づく空調の協調制御により、他席から自席への空気の移動が促される。こうした制御により、例えば暖房作動中においては、他席の近傍の暖かい空気が自席の近傍に引き込まれる。
【００４３】
一方、Ｓ１０２にて、他席の計測温度が自席の計測温度よりも低いと判定した場合、Ｓ１０７に進む。Ｓ１０７では、Ｓ１０３と同様に、Ｓ１０１にて取得した自席の計測温度と設定温度とを比較する。Ｓ１０７にて、自席の計測温度が設定温度よりも高いと判定した場合、Ｓ１０８に進む。例えば、他席の計測温度が自席の計測温度よりも自席の設定温度に近く、他席のシート空調ユニット３０の影響を受けた方がユーザの快適度を確保できる場合等に、Ｓ１０７からＳ１０８に進む。
【００４４】
Ｓ１０８では、自席よりも涼しい空調を行う他席方向への風量を抑えるように、自席のシート空調ユニット３０の作動を制御し、Ｓ１０９に進む。Ｓ１０９では、自席よりも涼しい空調状態にある他席のシート空調装置１００へ向けて実施要求を出力し、自席方向への風量を強めてもらうように要求する。Ｓ１０８及びＳ１０９に基づく空調の協調制御により、他席から自席への空気の移動が促される。こうした制御により、例えば冷房作動中においては、他席の近傍の涼しい空気が自席の近傍に引き込まれる。
【００４５】
一方、Ｓ１０７にて、自席における計測温度が設定温度よりも低いと判定した場合、Ｓ１１０に進む。例えば、自席の計測温度が他席の計測温度よりも自席の設定温度に近く、他席のシート空調ユニット３０の影響を受けない方がユーザの快適度を確保できる場合等に、Ｓ１０７からＳ１１０に進む。
【００４６】
Ｓ１１０では、自席よりも涼しい（寒い）空調を行う他席方向への風量を増やすように、自席のシート空調ユニット３０の作動を制御する。Ｓ１１０に基づく空調制御により、他席から自席への空気の移動が妨げられる。この場合も、車両Ａの加減速時にて、自席への空気の移動を阻害する風量が増やされてよい。以上により、例えば冷房作動中においては、他席の近傍の冷え過ぎた空気が自席の近傍に流入し難くなる。
【００４７】
以上の空調調整処理に基づく各シート空調装置１００の空調作動の具体例を、図１及び図２に基づき、さらに説明する。以下の説明でも、原則的に特定シート１０ｓが自席に相当する。
【００４８】
前席である隣接シート１０ａにて、隣接空調装置１００ａが自席のシート空調装置１００よりも暖かい空調をしているシーンでは、自席が暑い場合又は快適である場合に、自席の空調制御部６５は、特に加速時において、前席方向への風量を増加させる。こうして空調制御部６５は、暖かい気流の自席近傍への流れ込みを防ぐ（Ｓ１０４参照）。一方で、このシーンにて、自席が寒い場合では、空調制御部６５は、隣接シート１０ａの位置する前席方向への風量を抑え、前席から流れてくる暖かい空気を取り入れる（Ｓ１０５参照）。
【００４９】
反対に、前席である隣接シート１０ａにて、隣接空調装置１００ａが自席のシート空調装置１００よりも涼しい空調をしているシーンでは、空調制御部６５は、上記の対になる制御を実施する。具体的には、自席が寒い場合又は快適である場合に、自席の空調制御部６５は、特に加速時において前席方向への風量を増加させ、冷たい気流の流れ込みを防ぐ（Ｓ１１０参照）。一方で、自席が暑い場合では、空調制御部６５は、隣接シート１０ａの位置する前席方向への風量を抑え、前席から流れてくる涼しい空気を取り入れる（Ｓ１０８参照）。
【００５０】
また、特定シート１０ｓと左右方向に並ぶ隣接シート１０ｂにて、隣接空調装置１００ｂが自席のシート空調装置１００よりも暖かい空調をしているシーンでは、自席が暑い場合又は快適である場合に、自席の空調制御部６５は、隣席方向への風量を増加させる。こうして、自席近傍への暖かい気流の流れ込みが防がれる（Ｓ１０４参照）。一方で、このシーンにて、自席が寒い場合では、空調制御部６５は、隣接シート１０ａの位置する隣席方向への風量を抑え、隣席から流れてくる暖かい空気を取り入れる（Ｓ１０５参照）。
【００５１】
反対に、隣接シート１０ｂにて、隣接空調装置１００ｂが自席のシート空調装置１００よりも涼しい空調をしているシーンでは、空調制御部６５は、上記の対になる制御を実施する。具体的には、自席が寒い場合又は快適である場合に、自席の空調制御部６５は、隣席方向への風量を増加させ、冷たい気流の流れ込みを防ぐ（Ｓ１１０参照）。一方で、自席が暑い場合では、空調制御部６５は、隣席方向への風量を抑えるとともに、隣接空調装置１００ｂへのアシスト要求の出力により、隣席から流れてくる涼しい空気を取り入れる（Ｓ１０８参照）。
【００５２】
さらに、特定シート１０ｓと斜め方向に並ぶ隣接シート１０ｃにて、隣接空調装置１００ｃが自席のシート空調装置１００よりも暖かい又は涼しい空調をしているシーンでも、空調制御部６５は、上記のような制御を実施する。こうした制御により、空調制御部６５は、斜め前席から流れてくる気流の阻害及び促進を切り替え、自席の空調環境を整える。
【００５３】
ここで、特定シート１０ｓと隣接シート１０ａとの前後の位置関係を入れ、隣接シート１０ａが特定シート１０ｓの後席である場合を想定する。
【００５４】
後席である隣接シート１０ａにて、隣接空調装置１００ａが自席のシート空調装置１００よりも暖かい空調をしているシーンでは、自席が暑い場合又は快適である場合に、自席の空調制御部６５は、特に減速時において後席方向への風量を増加させる。これにより、自席近傍への暖かい気流の流れ込みが防がれる（Ｓ１０４参照）。一方で、このシーンにて、自席が寒い場合では、空調制御部６５は、隣接シート１０ａの位置する後席方向への風量を抑えるとともに（Ｓ１０５参照）、後席のシート空調ＥＣＵ６０に自席（前席）方向への風量を強めてもらうように要求を出す（Ｓ１０６参照）。
【００５５】
反対に、隣接シート１０ａにて、隣接空調装置１００ａが自席のシート空調装置１００よりも涼しい空調をしているシーンでは、空調制御部６５は、上記の対になる制御を実施する。具体的には、自席が寒い場合又は快適である場合に、自席の空調制御部６５は、特に減速時において後席方向への風量を増加させ、冷たい気流の流れ込みを防ぐ（Ｓ１１０参照）。一方で、自席が暑い場合では、空調制御部６５は、後席方向への風量を抑えるとともに、隣接空調装置１００ａへのアシスト要求の出力により、後席から流れてくる涼しい空気を取り入れる（Ｓ１０８参照）。
【００５６】
次の図６に示す初動調整処理は、シート表皮の材質に応じて、シート空調ユニット３０の初期運転を調整する処理である。この初動調整処理は、自席のシート空調の作動がオン状態へと切り替えられた直後に、シート空調ＥＣＵ６０によって開始される。初動調整処理により、シート空調開始後における初期運転の内容が、シート表皮の材質に応じて変更される。
【００５７】
Ｓ１２１では、自席のシート表皮の材質情報をメモリ装置６９から取得し、Ｓ１２２に進む。Ｓ１２２では、自席のシート表皮が革材質であるか否かを判定する。Ｓ１２２にて、自席が革材質であると判定した場合には、Ｓ１２３に進む。Ｓ１２３では、初期運転として、自席の急速冷房又は急速暖房を実施し、処理を終了する。一方で、Ｓ１２２にて、自席が布材質であると判定した場合には、Ｓ１２３をスキップする。以上により、革材質と判定した場合よりも空調強度の弱い通常の空調運転が開始される。
【００５８】
次の図７に示すインターバル調整処理は、シート表皮の材質に応じて、熱こもり防止運転の実施間隔を調整する処理である。インターバル空調処理は、例えばシート空調ＥＣＵ６０への電力供給の開始に基づき開始され、シート空調ＥＣＵ６０への電力供給の停止まで継続される。
【００５９】
尚、熱こもり防止運転は、ユーザの体温等に起因してシート表皮近傍にこもった熱を排出する排熱運転である。熱こもり防止運転は、車室空間ＰＳの室温及び湿度、外気温、及び運転継続時間等の条件に基づき、所定の間隔で自動実施される。そして、熱のこもり易い革材質のシート１０では、布材質のシート１０と比較して、熱こもり防止運転の実施間隔が短く設定される。
【００６０】
インターバル調整処理のＳ１３１では、自席のシート表皮の材質情報をメモリ装置６９から取得し、Ｓ１３２に進む。Ｓ１３２では、Ｓ１３１にて取得したシート表皮の材質情報に対応した閾値を設定し、Ｓ１３３に進む。Ｓ１３３では、シート空調がオン状態であるか否かを判定する。Ｓ１３３にて、シート空調がオフ状態のままであると判定した場合、オン状態への切り替えを待機する。一方で、Ｓ１３３にて、シート空調がオン状態であると判定した場合、Ｓ１３４に進む。
【００６１】
Ｓ１３４では、ユーザのシート１０への着座時間又は積算温度の計測を開始し、Ｓ１３５に進む。Ｓ１３５では、Ｓ１３４にて計測を開始した着座時間又は積算温度について、Ｓ１３２にて設定した閾値を超えているか否かを判定する。具体的に、Ｓ１３５では、シート空調の起動後に一定時間が経過したか否か、又は温度積算値が閾値を超えたか否か、を判定する。これらの閾値は、車室空間ＰＳの室温及び湿度等に応じて、適宜調整されてよい。
【００６２】
Ｓ１３５にて、一定時間が経過した又は温度積算値が閾値を超えたと判定した場合、Ｓ１３６に進む。Ｓ１３６では、熱こもり防止運転を開始し、Ｓ１３４に戻る。Ｓ１３６にて開始された熱こもり防止運転は、所定の運転時間継続された後、終了される。
【００６３】
ここまで説明した第一実施形態では、隣接空調装置１００ａ〜１００ｃの作動情報に基づき、自席に空調風を供給するシート空調ユニット３０の作動が調整される。以上によれば、シート空調装置１００は、他席の空調環境による影響を考慮しつつ、設定情報に基づくように自席の空調環境を制御し得る。したがって、シート１０毎の個別の空調制御であっても、自席となるシート１０に着座したユーザへの快適な空調環境の提供が可能になる。
【００６４】
加えて第一実施形態では、自席のシート空調装置１００の計測温度と、隣接空調装置１００ａ〜１００ｃの計測温度とを比較し、シート空調ユニット３０の空調作動における調整内容が変更される。以上のような自席と他席との各空調風の温度比較によれば、空調制御部６５は、他席にて実施されているシート空調作動の影響を排除するか、又は他席のシート空調作動の影響を積極的に受け入れるかを適切に選択し得る。そして、他席のシート空調作動の影響を積極的に受け入れる空調作動によれば、シート空調装置１００は、ユーザにとって快適な空調環境を自席の近傍に迅速に形成できる。
【００６５】
さらに第一実施形態では、自席における設定温度と、自席のシート空調装置１００の計測温度とを比較し、シート空調ユニット３０の空調作動における調整内容が変更される。以上のように、自席での設定温度と計測温度との比較によれば、空調制御部６５は、空調環境がユーザにとって十分に快適か否かを推定し得る。故に空調制御部６５は、ユーザにとって快適と感じられ易い空調環境を、シート空調ユニット３０の制御によって適切に整えることができる。
【００６６】
具体的に第一実施形態では、自席における計測温度が他席における計測温度よりも自席の設定温度に近い場合に、空調制御部６５は、この他席から自席への空気の移動を妨げるようにシート空調ユニット３０を作動させる。こうした空調作動によれば、ユーザが快適に感じている空調環境下、他席から自席へ向けて、ユーザにとって不快な温度の空気が流れ込む事態は、防止され得る。
【００６７】
加えて第一実施形態では、他席における計測温度が自席における計測温度よりも自席の設定温度に近い場合に、空調制御部６５は、この他席から自席への空気の移動を促すように、シート空調ユニット３０を作動させる。こうした空調作動によれば、自席のシート空調装置１００は、隣接空調装置１００ａ〜１００ｃのいずれかの助力を得つつ、ユーザの望む空調環境を迅速に整えることができる。
【００６８】
さらに第一実施形態では、他席における計測温度が自席における計測温度よりも自席の設定温度に近い場合に、この他席に設定されたいずれかの隣接空調装置１００ａ〜１００ｃへ向けて、実施要求が出力される。この実施要求に基づく隣接空調装置１００ａ〜１００ｃの空調作動によれば、ユーザが快適度と感じ得る空調風が、他席から自席へと流入し得る。以上によっても、自席のシート空調装置１００は、隣接空調装置１００ａ〜１００ｃのいずれかの助力を得つつ、ユーザの望む空調環境を迅速に整えることができる。
【００６９】
また第一実施形態では、自席のシート表皮の材質情報に基づき、自席に空調風を供給するシート空調ユニット３０の作動が調整される。以上によれば、自席に着座したユーザの感じる空調環境は、シート表皮の材質の違いによる影響を受け難くなる。したがって、自席となるシート１０に着座したユーザへの快適な空調環境の提供が可能になる。
【００７０】
加えて、シート材質毎に最適な空調設定ができれば、車室空間ＰＳ内での各シート空調装置１００の協調作動と相俟って、車両Ａにおける空調作動でのエネルギ消費は、トータルとして削減可能となる。
【００７１】
さらに、シート空調ＥＣＵ６０がシート表皮の材質を判断し、空調作動の内容を自動的に切り替えることができれば、異なるシート表皮を採用したシート１０に対しても、実質一種類のシート空調装置１００が適用可能となる。換言すれば、シート空調ＥＣＵ６０の共通化により、シート表皮の材質毎に設定値（定数）を変えたシート空調ＥＣＵ６０を設定する必要が無くなる。
【００７２】
加えて第一実施形態では、シート表皮が革材質か布材質かを示す材質情報に基づき、空調作動の調整内容が変更される。このような切り替えによれば、暑さ及び冷たさをユーザに伝え易い革材質特有のデメリットが緩和される。一方で、シート表皮が布材質のシート１０においては、シート空調ユニット３０の過剰な空調作動が抑制され得る。
【００７３】
また第一実施形態では、シート表皮が革材質である場合に、シート表皮が布材質である場合と比較して、空調開始後における初期運転の強度が強められる。こうした切り替えによれば、暑さ及び冷たさをユーザに伝え易い革材質のシート１０においても、急速冷房又は急速暖房等により、空調作動の開始直後から、シート自体の温度が適温に調整される。その結果、ユーザの快適性が確保可能となる。一方で、革材質と比較して暑さ及び冷たさを伝え難い布材質のシートでは、初期運転でのエネルギ消費が低減できる。
【００７４】
さらに第一実施形態では、シート表皮が革材質である場合に、シート表皮が布材質である場合と比較して、熱こもり防止運転の実施間隔が短く設定される。こうした設定によれば、通気性が悪く熱のこもりやすい革材質のシート１０でも、発汗等に起因してユーザが不快と感じる前に、自動的にシート表皮等の温度は、適温に調整され得る。故に、ユーザの快適性が確保可能となる。一方で、通気性の良好な布材質のシート１０では、ユーザが汗ばみ難いため、熱こもり防止運転の実施間隔が長くても又は実施されなくても、ユーザの快適性は、損なわれ難い。故に、熱こもり防止運転に伴うエネルギ消費が低減可能となる。
【００７５】
尚、第一実施形態において、車室空間ＰＳが「ユーザ空間」に相当し、シート空調ユニット３０が「空調機」に相当し、シート空調ＥＣＵ６０が「シート空調制御装置」に相当する。また、ユーザ通信部６１が「設定情報取得部」に相当し、受信部６３ａが「隣接情報取得部」に相当し、出力部６３ｂが「要求出力部」に相当する。
【００７６】
（第二実施形態）
本開示の第二実施形態は、第一実施形態の変形例である。第二実施形態によるシート空調装置１００は、ライドシェア専用の車両（以下、「シェアリング車両」）に搭載され、シェアリング車両の車室空間に配列された各客席に設置されている。シェアリング車両は、運転者の搭乗しない自動運転車であってもよく、バッテリの電力によって走行する電気自動車であってもよい。
【００７７】
ライドシェアサービスは、シェアリング車両を移動手段としてユーザに提供する。ユーザは、ユーザ端末９０（図３参照）にて動作するアプリケーションを通じて、シェアリング車両の席を予約する。ユーザ端末９０には、シェアリング車両への乗車場所及び乗車時刻と、予約されたシート１０（図１参照）を示す情報（座席番号）等とが提示される。シェアリング車両には、一例として、利用料金の異なるシート１０が設置されている。利用料金の高い一方のシート１０のシート表皮は革材質とされ、利用料金の安い他方のシート１０のシート表皮は布材質とされる。
【００７８】
シェアリング車両の通信バスには、車載通信機が接続されている。車載通信機は、ネットワークを介して、シェアリング車両の配車を管理するセンタのサーバと通信可能である。ユーザによって席の予約が実施されると、サーバは、ユーザの乗車場所及び乗車時刻を設定する。サーバは、設定した乗車時刻と、予約されたシート１０（図１参照）を示す情報等とを、予約情報として車載通信器に送信する。
【００７９】
図１に示すように、各シート１０に設けられたシート空調装置１００のシート空調ＥＣＵ６０は、第一実施形態と実質同一の空調調整処理（図５参照）を実施する。その結果、シート空調ＥＣＵ６０は、自席における設定温度及び計測温度と、隣接する他席における計測温度とに基づき、自席の空調環境を制御可能である。加えてシート空調ＥＣＵ６０は、初動調整処理（図８参照）及びインターバル調整処理（図７参照）の実施により、シート表皮の材質に応じて、空調制御の内容を調整可能である。
【００８０】
図８に示す初動調整処理の実施により、シート空調ＥＣＵ６０は、ユーザの乗車時刻又はその少し前のタイミングで、ユーザをおもてなしするための空調作動を、シート空調ユニット３０に開始させる。初動調整処理は、例えばシェアリング車両の空調システムの電源がオン状態とされたことに基づき開始される。
【００８１】
初動調整処理のＳ２２１では、自席のシート表皮の材質情報をメモリ装置６９（図１参照）から取得し、Ｓ２２２に進む。Ｓ２２２では、自席を利用予定であるユーザの乗車時刻を、ネットワーク経由でサーバから取得し、Ｓ２２３に進む。Ｓ２２３では、自席の予約の有無を判定する。Ｓ２２３にて、乗車時刻の取得が無いと判定した場合、Ｓ２２２に戻る。一方で、乗車時刻を取得している場合、予約があると判定し、Ｓ２２４に進む。
【００８２】
Ｓ２２４では、Ｓ２２２にて取得した乗車時刻となるのを待機する。Ｓ２２４にて、現在時刻が乗車時刻になったと判定した場合、Ｓ２２５に進む。Ｓ２２５では、自席のシート表皮が革材質であるか否かを判定する。Ｓ２２５にて、自席が革材質であると判定した場合には、Ｓ２２６に進む。Ｓ２２６では、初期運転として、自席の急速冷房又は急速暖房を実施し、処理を終了する。一方で、Ｓ２２５にて、自席が布材質であると判定した場合には、Ｓ２２７に進む。Ｓ２２７では、通常の冷房運転又は暖房運転をおもてなしのために実施し、処理を終了する。
【００８３】
図１に示すシート空調ＥＣＵ６０は、初動調整処理と併行してインターバル調整処理（図７参照）を実施する。シート空調ＥＣＵ６０は、現在時刻が乗車時刻になったか否かを判定し（Ｓ１３３）、乗車時刻後、シート表皮の材質に対応した時間間隔にて、熱こもり防止運転を実施する（Ｓ１３４〜Ｓ１３６）。
【００８４】
ここまで説明した第二実施形態のように、シェアリング車両にて用いられたとしても、シート空調ＥＣＵ６０は、他席の空調環境による影響を考慮しつつ、自席の空調環境を制御し得る。したがって、第一実施形態と同様に、自席のユーザへの快適な空調環境の提供が可能となる。
【００８５】
加えて第二実施形態のように、不特定多数のユーザが利用するシェアリング車両にて、上述のような個別空調が実施されれば、ユーザそれぞれの快適性が確保可能となる。故に、上述のような空調調整処理に基づくシート空調の実施は、シェアリングサービスのユーザの満足度向上に、大きく貢献できる。
【００８６】
また第二実施形態によれば、シート表皮の材質が異なる二種類のシート１０に、実質同一のシート空調装置１００を設置しても、シート空調ＥＣＵ６０は、各シート表皮に適した空調制御を自動的に実施する。以上によれば、一台のシェアリング車両に種別の異なるシート空調装置１００が混載される事態は、回避される。
【００８７】
さらに第二実施形態では、革材質に適した初期運転及び熱こもり防止運転により、高い利用料金を支払ったユーザの快適性、ひいては満足度が確保され得る。故に、材質情報に基づく空調作動を調整は、利用料金の高いシート１０の利用をユーザに促し、シェアリングサービスの収益率の向上に寄与できる。
【００８８】
（他の実施形態）
以上、本開示による複数の実施形態について説明したが、本開示は、上記実施形態に限定して解釈されるものではなく、本開示の要旨を逸脱しない範囲内において種々の実施形態及び組み合わせに適用することができる。
【００８９】
上記実施形態では、他席に設置された隣接空調装置の作動情報として、当該隣接空調装置の空調風の計測温度が取得されていた。しかし、隣接空調装置の作動情報は、適宜変更可能である。例えば、隣接空調装置の設定温度、送風量及び消費電力等が、自席の空調を調整するための作動情報として取得されてよい。こうした形態では、自席のシート空調ＥＣＵは、隣接空調装置の作動情報と比較可能な情報を、シート空調ユニットから取得する。また自席の設定情報は、ユーザの設定温度に限定されず、設定風量等であってもよい。
【００９０】
上記実施形態では、他席からの気流が流れ込まないように、この他席方向へ向かう風量を増やす制御が実施されていた。こうした制御に替えて、又はこうした制御と共に、他席から自席へ向かう風量を抑える空調制御の実施要求が、他席の隣接空調装置へ向けて出力されてもよい。
【００９１】
上記実施形態では、他席からの気流が流れ込み易いように、この他席方向へ向かう風量を抑える空調制御と、自席方向への風量を強めるような要求出力とが、実施されていた。しかし、他席近傍の空気を自席近傍に引き込む場合、これらのうちの一方のみが実施されてもよい。
【００９２】
上記実施形態におけるシート表皮の材質情報は、革材質か布材質かを示す情報であった。しかし、材質情報は、シート表皮の材質をさらに細分化させた情報であってもよい。こうした情報を用いることで、空調制御部は、シート表皮に合わせて、さらにきめ細かく空調作動を調整し得る。
【００９３】
上記実施形態では、シートが布材質である場合には、熱こもり防止運転が実施されていた。しかし、通気性に優れる布材質をシート表皮として用いる場合、閾値を非常に大きな値に設定する等の処理により、熱こもり防止運転の実施が省略されてもよい。さらに、熱こもり防止運転の内容が、シート表皮の材質情報に基づいて切り替えられてもよい。例えば、シート表皮が革材質である場合、一回の熱こもり防止運転の継続時間は、シート表皮が布材質である場合よりも長く設定されてよい。さらに、シート表皮が革材質である場合に、熱こもり防止運転における風量が、布材質である場合よりも増強されてよい。
【００９４】
上記実施形態では、他席の空調情報及びシート表皮の材質情報の両方を用いて空調制御の内容が調整されていた。しかし、空調制御部は、シート表皮の材質情報を空調制御に用いることなく、他席の空調情報を用いて空調制御を行ってもよい。或いは、空調制御部は、他席の空調情報を自席の空調制御に用いずに、自席のシート表皮の材質情報を用いて空調制御を行ってもよい。
【００９５】
シート空調装置が設置されるシートの形状は、適宜変更可能である。例えばシートは、座面部を主体とした構成であり、ヘッドレスト及び背もたれ部等が省略された形態であってもよい。或いは、シートは、アームレスト等を有していてもよい。シート内ダクトの形態も、シートの形態に合わせて、適宜変更可能である。例えばシート内ダクトは、ヘッドレスト及びアームレスト等に設けられた吹出孔へ向けて空調風を供給するダクト構成をさらに有していてもよい。
【００９６】
シート空調ユニットは、冷房機能及び暖房機能の一方のみを備える構成であってもよい。加えてシート空調ユニットは、例えば冷凍サイクル部に替えて、ペルチェ素子で冷気を発生させる構成であってもよく、ＰＴＣヒータ等の電熱器のみで暖気を発生させる構成であってもよい。
【００９７】
複数のシート空調装置は、通信バスによる有線通信ではなく、無線通信によって相互に情報をやり取りしてもよい。また、ユーザが設定温度及び設定風量を入力する端末は、シート空調ＥＣＵ又は通信バスに有線接続された操作パネル等であってもよい。
【００９８】
シート空調装置は、車両に限定されず、鉄道車両、トラム、及び航空機等のシートに設置されてよい。さらに、車両等の移動体ではなく、レジャー施設等に配列されたシートに、シート空調装置が設置されてもよい。
【００９９】
上記実施形態にて、シート空調ＥＣＵにより提供された各機能は、ソフトウェア及びそれを実行するハードウェア、ソフトウェアのみ、ハードウェアのみ、あるいはそれらの複合的な組合せによっても提供可能である。さらに、こうした機能がハードウェアである電子回路によって提供される場合、各機能は、多数の論理回路を含むデジタル回路、又はアナログ回路によっても提供可能である。
【０１００】
上記実施形態にて、空調制御プログラムを記憶していたメモリ装置には、種々の非遷移的実体的記憶媒体（non-transitory tangible storage medium）が採用可能である。こうした記憶媒体の形態も、適宜変更されてよい。例えば記憶媒体は、メモリカード等の形態であり、シート空調ＥＣＵに設けられたスロット部に挿入されて、制御回路に電気的に接続される構成であってよい。
【符号の説明】
【０１０１】
ＰＳ  車室空間（ユーザ空間）、１０  シート、１０ａ〜１０ａ  隣接シート、１０ｓ  特定シート、３０  シート空調ユニット（空調機）、６０  シート空調ＥＣＵ（シート空調制御装置）、６１  ユーザ通信部（設定情報取得部）、６２  状態情報取得部、６３ａ  受信部（隣接情報取得部）、６３ｂ  出力部（要求出力部）、６４  表皮情報取得部、６５  空調制御部、１００  シート空調装置、１００ａ〜１００ａ  隣接空調装置
【図１】
2019156154.tif 000003
【図２】
2019156154.tif 000004
【図３】
2019156154.tif 000005
【図４】
2019156154.tif 000006
【図５】
2019156154.tif 000007
【図６】
2019156154.tif 000008
【図７】
2019156154.tif 000009
【図８】
2019156154.tif 000010